(57)【要約】      （修正有）【課題】被切断物に対して、十字の切り込みを入れ、被切断物の側面に踏むなどの力を加えることで簡単に缶を圧縮でき、且つ安全な缶切り刃を提供する。【解決手段】第１刃体と第２刃体が十字に重なることで被切断物に対して十字の切り込みを入れることができる缶切り刃であって、第１刃体１は、第２刃体２と嵌合する第１溝部を有し、第２刃体は、第１刃体と嵌合する第２溝部を有し、第１溝部と、第２溝部が嵌合し、十字型の刃３を形成する。また安全カバー４が、第１刃体の厚み方向と、第２刃体の厚み方向に取り付けられ、第１刃体、第２刃体の巾より、安全カバーの支柱部が外側に取り付けられる。【選択図】図１
0003229793.tif 000002
【実用新案登録請求の範囲】
【請求項１】
第１刃体と第２刃体が十字に重なることで被切断物に対して十字の切り込みを入れることができる缶切り刃であって、
前記缶切り刃は、前記被切断物を切断する前記第１刃体と、前記第２刃体と、を備えており、
前記第１刃体は、前記第２刃体と嵌合する第１溝部を有しており、
前記第２刃体は、前記第１刃体と嵌合する第２溝部を有しており、
前記第１刃体に設けられた第１溝部と、前記第２刃体に設けられた第２溝部が嵌合し、十字型の刃を形成することを特徴とする缶切り刃。
【請求項２】
安全カバーは、前記第１刃体の厚み方向と、前記第２刃体の厚み方向に取り付けられ、前記第１刃体、前記第２刃体の巾より、前記安全カバーの支柱部が外側に取り付けられた、請求項１に記載の缶切り刃。
【請求項３】
前記第１刃体と前記第２刃体は、平面部に、１つまたは複数の穴部を設け、
前記安全カバーに設けられた穴部と、ボルト又はナットで螺嵌することで、前記安全カバーと、前記第１刃体と、前記第２刃体との取り付けを可能とし、
ボルト又はナットで螺嵌する位置を変更することで、前記第１刃体又は前記第２刃体の側面方向への水平移動を可能とした請求項１又は請求項２に記載の缶切り刃。
【考案の詳細な説明】
【技術分野】
【０００１】  本考案は、缶切り刃に関する。
【背景技術】
【０００２】  従来、工場等において使用済みの一斗缶又はシール缶が発生する。前記のような一斗缶又はシール缶は体積が大きく、リサイクルや運搬のために圧縮して処分する必要がある。例えば、特許文献１の缶潰し機で提案されている。【０００３】  特許文献１の缶潰し機は、薪割機の動力を備え、押圧部材と、受圧部材により構成され、前記押圧部材及び前記受圧部材が薪割機に装着され固定されて、前記押圧部材が、前記受圧部材に接近し、挟持された缶を押し潰している。
【先行技術文献】
【特許文献】
【０００４】
【特許文献１】特開２０１７−６０９８７号公報
【考案の概要】
【考案が解決しようとする課題】  特許文献１で提案されている缶潰し機は、薪割機に取り付けるアタッチメントであり、大型の薪割機が必要になる。また薪割機の動力を利用するため、大怪我につながる恐れがある。【０００５】  そこで、本考案は、薪割機を必要とせず、被切断物に対して、切り込みを入れ、被切断物の側面に踏むなどの力を加えることで簡単に缶を圧縮でき、且つ安全な缶切り刃を提供することを目的とする。
【課題を解決するための手段】
【０００６】    第１刃体と第２刃体が十字に重なることで被切断物に対して十字の切り込みを入れることができる缶切り刃であって、
前記缶切り刃は、前記被切断物を切断する前記第１刃体と、前記第２刃体と、を備えており、
前記第１刃体は、前記第２刃体と嵌合する第１溝部を有しており、
前記第２刃体は、前記第１刃体と嵌合する第２溝部を有しており、
前記第１刃体に設けられた第１溝部と、前記第２刃体に設けられた第２溝部が嵌合し、十字型の刃を形成することを特徴とする。【０００７】  上記構成によれば、前記第１刃体と前記第２刃体により形成される十字型の刃を、被切断物に差し込むことで十字の切れ込みを入れることが可能となる。【０００８】  また上記構成によれば、機械の動力を必要とせず、安全に作業することが可能である。【０００９】  安全カバーは、前記第１刃体と、前記第２刃体の厚み方向に取り付けられ、前記第１刃体、前記第２刃体の巾より、前記安全カバーの支柱部が外側に取り付けられることを特徴とする。【００１０】  上記構成によれば、前記安全カバーにより、前記第１刃体及び前記第２刃体の刃部が人へ接触するリスクは軽減され、安全である。【００１１】  前記第１刃体と前記第２刃体は、平面部に、１つまたは複数の穴部を設け、
前記安全カバーに設けられた長穴部と、ボルト又はナットで螺嵌することで、前記安全カバーと、前記第１刃体と、前記第２刃体との取り付けを可能とし、
ボルト又はナットで螺嵌する位置を変更することで、前記第１刃体又は前記第２刃体の側面方向への水平移動を可能とする。【００１２】  上記構成によれば、被切断物の大きさに合わせて、前記安全カバーを前記第１刃体、前記第２刃体の側面方向に可動することができる。
【考案の効果】
【００１３】  本考案によれば、十字の切り込みを入れることで容易に缶を潰すことができ、且つ安全な缶切り刃を提供することができる。
【図面の簡単な説明】
【００１４】
【図１】本考案の実施形態に係る缶切り刃の外観斜視図である。
【図２】本考案の実施形態に係る缶切り刃の刃体の詳細図である。
【図３】本考案の実施形態に係る缶切り刃の組み立てを示す詳細図である。
【図４】本考案の実施形態に係る缶切り刃の安全カバーの取り付けを示す概略図である。
【図５】本考案の実態形態に係る缶切り刃の使用状態を示す図である。
【図６】本考案の実施形態に係る被切断物の圧縮方法を示す図である。
【考案を実施するための形態】
以下、本考案の実施形態に係る缶切り刃について図面を参照して説明する。なお、本実施形態によって本考案が限定されるものではない。また、以下では、全ての図を通じて、同一又は相当する要素には同一の参照符号を付して、その重複する説明は省略する。
【００１５】（外観斜視図）
図１は、本実施形態に係る缶切り刃の外観斜視図である。図１に示すように、本実施形態に係る第１刃体１と、第２刃体２が嵌合した十字型刃３と、前記十字型刃３と、支持軸１０と、を連結するジョイントＡ１１と、ジョイントＢ１１と、グリップ１３、を備えている。
【００１６】  グリップ１３、円筒状の形状をしており、中心には支持軸１０が軸方向から挿入できる穴が開いており、支持軸１０に取り付けることが可能となる。
【００１７】（十字刃体の詳細図）
図２は、本実施形態に係る缶切り刃の刃体の詳細図である。図２に示すように、本実施形態に係る第１刃体溝部１ａと、第２刃体溝部２ａと、を嵌合することで十字の形状の刃を形成することが可能になる。
【００１８】  図３は、本実施形態に係る缶切り刃の組み立てを示す詳細図である。本実施形態に係る第１刃体１の厚み方向の上面側、底面側にジョイントＡ１１、ジョイントＢ１２を密着するように取り付け、ジョイントＡ１１、ジョイントＢ１２が有する穴部と、支持軸１０が有する穴部の軸心が一致するように取り付けられる。
【００１９】  そして、上記のように第１刃体１と、ジョイントＡ１１と、ジョイントＢ１２と、支持軸１０の持つ穴の軸心が一致し、その軸心にボルトＡ６を挿嵌し、ナットＡ８で締結することで組み立てが可能となる。
【００２０】  十字型刃３と、ジョイントＡ１１、ジョイントＢ１２の間には保持プレート５が介在し、双方の接触を防ぐ。前記保持プレート５が有する溝部が、第１刃体１に挿嵌されるように取り付けることが可能になる。
【００２１】（安全カバー取り付けの概略図）
図４は、本実施形態に係る缶切り刃の安全カバーの取り付けを示す概略図である。安全カバー４はＬ字型の形状で、短手側には長穴４ａを有し、長手側は支柱部４ｂを有する。長手側は、第１刃体１及び第２刃体２の巾より外側に位置し、第１刃体１及び第２刃体２の刃部が人に接することを防ぐことを可能とする。
【００２２】  また、上記図４に示す安全カバー４は、第１刃体穴部１ｂ及び第２刃体穴部２ｂにボルトＢ１５が通貫する穴の場所を変え、蝶ナット９で締結することで、安全カバー４の位置を前記第１刃体１及び前記第２刃体２の側面方向への可動を可能とする。
【００２３】（使用状態）
図５は、本実態形態に係る缶切り刃の使用状態を示す図である。使用者１７が両手でグリップ１３を握り、十字型刃３の先端を被切断物１４に当てて、上から力を加えることで被切断物１４に十字の切り込みを入れることができる。
【００２４】（圧縮方法）
図６は、本実施形態に係る被切断物の圧縮方法を示す図である。上記図５で示したように、十字の切り込みが入った被切断物１４の側面部１６を、足１５で踏むなどの力を加えることで容易に圧縮することが可能である。
【符号の説明】
【００２５】１            第１刃体                    １３          グリップ
１ａ          第１刃体溝部                １４          被切断物
１ｂ          第１刃体穴部                １５          足
２            第２刃体                    １６          側面部
２ａ          第２刃体溝部                １７          使用者
２ｂ          第２刃体穴部                １８          缶切り刃
３            十字型刃
４            安全カバー
４ａ          長穴部
４ｂ          支柱部
５            保持プレート
６            ボルトＡ
７            ボルトＢ
８            ナットＡ
９            蝶ナット
１０          支持軸
１１          ジョイントＡ
１２          ジョイントＢ
【図１】
0003229793.tif 000003
【図２】
0003229793.tif 000004
【図３】
0003229793.tif 000005
【図４】
0003229793.tif 000006
【図５】
0003229793.tif 000007
【図６】
0003229793.tif 000008
【手続補正書】
【提出日】令和2年5月29日(2020.5.29)
【手続補正１】
【補正対象書類名】実用新案登録請求の範囲
【補正対象項目名】請求項３
【補正方法】変更
【補正の内容】
【請求項３】
請求項３の末尾、「請求項１又は請求項２に記載の缶切り刃。」を「請求項２に記載の缶切り刃。」に変更する。
【手続補正書】
【提出日】令和2年9月9日(2020.9.9)
【手続補正１】
【補正対象書類名】実用新案登録請求の範囲
【補正対象項目名】請求項３
【補正方法】変更
【補正の内容】
【請求項３】
前記第１刃体と前記第２刃体は、平面部に、１つまたは複数の穴部を設け、前記安全カバーに設けられた穴部と、ボルト又はナットで螺嵌することで、前記安全カバーと、前記第１刃体と、前記第２刃体との取り付けを可能とし、ボルト又はナットで螺嵌する位置を変更することで、前記第１刃体又は前記第２刃体の側面方向への水平移動を可能とした請求項２に記載の缶切り刃。